【手続補正書】
【提出日】平成18年6月20日(2006.6.20)
【手続補正１】
【補正対象書類名】特許請求の範囲
【補正対象項目名】全文
【補正方法】変更
【補正の内容】
【特許請求の範囲】
【請求項１】
コンテンツ情報の情報源に接続可能な情報処理装置であって、
前記コンテンツ情報の情報源からコンテンツ情報を取得して出力するための出力手段と、
前記出力手段により出力されるコンテンツ情報に対応するアクションスケジュール情報を検索するための第１のアクションスケジュール情報検索手段とを含み、前記アクションスケジュール情報は、当該情報処理装置のユーザに提示されるべき所定のアクション指示情報と、当該アクションスケジュール情報に対応するコンテンツ情報を特定するコンテンツ特定情報と、前記対応するコンテンツ情報の出力中において、前記アクション指示情報を提示するべきタイミングを示すスケジュールを特定するスケジュール情報と、前記アクション指示情報が提示されているときにユーザから所定の入力があったときに実行するべき処理を特定するターゲット情報とを含み、
前記情報処理装置はさらに、
前記第１のアクションスケジュール情報検索手段により検索されたアクションスケジュール情報に従い、前記コンテンツ情報の出力中の、当該アクションスケジュール情報により特定されるタイミングで、前記アクション指示情報を提示するための情報提示手段と、
前記情報提示手段によるアクション指示情報の提示に対応してユーザから指示があったことに応答して、前記第１のアクションスケジュール情報検索手段により検索されたアクションスケジュール情報に含まれる前記ターゲット情報により特定される処理を実行するためのアクション実行手段とを含む、情報処理装置。
【請求項２】
前記出力手段は、
前記コンテンツ情報を前記情報源から取得して記録するための第１の記録手段と、
前記第１の記録手段に記録されたコンテンツ情報を出力するための手段とを含む、請求項１に記載の情報処理装置。
【請求項３】
前記第１の記録手段により記録されるコンテンツ情報に対応するアクションスケジュール情報を検索するための第２のアクションスケジュール情報検索手段と、
前記第２のアクションスケジュール情報検索手段により検索されたアクションスケジュール情報に含まれる前記ターゲット情報により特定される処理と等価な処理を実行し、その結果を前記第１の記録手段に記録させた前記コンテンツ情報及び前記第２のアクションスケジュール情報検索手段により検索されたアクションスケジュール情報に関連付けて記録するための第２の記録手段とをさらに含み、
前記アクション実行手段は、前記アクション指示情報に対応してユーザから指示があったことに応答して、前記第１のアクションスケジュール情報検索手段により検索されたアクションスケジュール情報に含まれる前記ターゲット情報により特定される処理と等価な処理の結果を前記第２の記録手段中より検索して出力するための手段とを含む、請求項２に記載の情報処理装置。
【請求項４】
前記ターゲット情報は、あるコンテンツ情報を取得して記録することを指示する信号を生成する処理を特定する情報を含み、
前記情報処理装置はさらに、前記アクション実行手段により前記指示する信号が生成されたことに応答して、当該信号により指示されたコンテンツを取得し記録するように前記第１の記録手段を制御するための手段を含む、請求項２に記載の情報処理装置。
【請求項５】
前記情報提示手段は、前記コンテンツ情報の出力中の、当該アクションスケジュール情報に記載された時点を基準とし、その前又は後に所定時刻だけ移動したタイミングで前記アクション指示情報を提示するための手段を含む、請求項１〜請求項４のいずれかに記載の情報処理装置。
【請求項６】
前記ターゲット情報は、外部の装置により前記コンテンツ情報を取得して記録することを指示する信号を生成する処理を特定する情報を含み、
前記情報処理装置はさらに、前記アクション実行手段により前記指示する信号が生成されたことに応答して、当該信号を外部に出力するための手段を含む、請求項１に記載の情報処理装置。
【請求項７】
前記情報処理装置はさらに、複数の前記情報源のいずれか１つを選択するための情報源選択手段を含み、
前記第１のアクションスケジュール情報検索手段は、前記情報源選択手段により情報源が選択されたことに応答して、当該情報源が提供するコンテンツ情報に対応するアクションスケジュール情報を検索するための手段を含む、請求項１に記載の情報処理装置。
【請求項８】
前記出力手段は、前記情報源選択手段により選択された情報源からコンテンツ情報を取得して出力するための手段を含む、請求項７に記載の情報処理装置。
【請求項９】
前記情報源選択手段は、ユーザにより複数の前記情報源のうちいずれかが指定されたことに応答して、当該情報源を選択するための手段を含む、請求項８に記載の情報処理装置。
【請求項１０】
前記ターゲット情報は、特定の情報源を選択することを指示する信号を生成する処理を特定する情報を含み、
前記情報処理装置はさらに、前記アクション実行手段が前記指示する信号を生成したことに応答して、当該信号に従い前記情報源選択手段を制御し、当該情報源選択手段が前記特定の情報源を選択するよう動作させるための手段を含む、請求項７に記載の情報処理装置。
【請求項１１】
前記アクションスケジュール情報を提供する情報提供装置に接続し、前記情報提供装置から複数の前記アクションスケジュール情報を取得するための手段をさらに含み、
前記第１のアクションスケジュール情報検索手段は、前記取得するための手段により取得された複数のアクションスケジュール情報の中から、前記出力手段により出力されるコンテンツ情報に対応するアクションスケジュール情報を検索するための検索手段を含む、請求項１に記載の情報処理装置。
【請求項１２】
前記取得するための手段は、前記情報提供装置から複数の前記アクションスケジュール情報を取得し、前記複数のコンテンツ情報に対応して、前記アクション指示情報、前記アクション指示情報を提示するためのスケジュール、及び前記ターゲット情報を含むアクションスケジュールを作成するための手段を含み、
前記検索手段は、前記作成するための手段により作成された複数のアクションスケジュールの中から、前記出力手段により出力されるコンテンツ情報に対応するアクションスケジュールを検索するための手段を含み、
前記情報提示手段は、前記検索するための手段により検索されたアクションスケジュールに従い、前記コンテンツ情報の出力中の、当該アクションスケジュールにより特定されるタイミングで、前記アクション指示情報を提示するための手段を含み、
前記アクション実行手段は、前記情報提示手段によるアクション指示情報の提示に対応してユーザから指示があったことに応答して、前記検索されたアクションスケジュールに含まれる前記ターゲット情報により特定される処理を実行するための手段を含む、請求項１１に記載の情報処理装置。
【請求項１３】
前記アクションスケジュール情報を提供する情報提供装置に対する優先度を付与するための優先度付与手段をさらに含み、
前記検索手段は、前記取得するための手段により取得された複数のアクションスケジュール情報において、前記優先度付与手段により付与された優先度の高い情報提供装置から取得されたものを優先して、前記出力手段により出力されるコンテンツ情報に対応するアクションスケジュール情報を検索するための手段を含む、請求項１１に記載の情報処理装置。
【請求項１４】
前記取得するための手段により取得されたアクションスケジュールを記憶するためのアクションスケジュール記憶手段と、
所定の更新条件が充足されたことに応答して、前記情報提供装置から、前記アクションスケジュール記憶手段に記憶されたアクションスケジュール情報に対する更新内容を示す更新情報を取得するための手段と、
前記更新情報を取得するための手段により取得された更新情報にしたがって、前記アクションスケジュール記憶手段に記憶されているアクションスケジュールを更新するための手段とをさらに含む、請求項１１に記載の情報処理装置。
【請求項１５】
前記アクションスケジュール情報を提供する情報提供装置に接続し、前記情報提供装置から複数の前記アクションスケジュール情報を取得するための手段をさらに含み、
前記第２のアクションスケジュール情報検索手段は、前記取得するための手段により取得された複数のアクションスケジュール情報の中から、前記第１の記録手段により記録されるコンテンツ情報に対応するアクションスケジュール情報を検索するための手段とを含む、請求項３に記載の情報処理装置。
【請求項１６】
前記ターゲット情報は、特定の前記アクションスケジュール情報を取得しアクションスケジュール情報を更新することを指示する信号を生成する処理を特定する情報を含み、
前記情報処理装置はさらに、前記アクション実行手段が前記指示する信号を生成したことに応答して、当該信号により指示された前記特定のアクションスケジュール情報を取得し、前記取得するための手段が取得したアクションスケジュール情報を更新するための手段を含む、請求項１１から請求項１５のいずれかに記載の情報処理装置。
【請求項１７】
前記出力手段による出力と、前記情報提示手段によるアクション指示情報の出力とを合成して出力するための手段をさらに含む、請求項１から請求項１６のいずれかに記載の情報処理装置。
【請求項１８】
前記情報提示手段は、前記第１のアクションスケジュール情報検索手段により検索されたアクションスケジュール情報に従い、当該アクションスケジュール情報により特定される前記出力手段による前記コンテンツ情報の出力中の、当該アクションスケジュール情報により特定されるタイミングで、前記出力手段による出力に替えて前記提示情報の出力を行なうための手段を含む、請求項１から請求項１６のいずれかに記載の情報処理装置。
【請求項１９】
前記第１のアクションスケジュール情報検索手段による検索の対象となる前記アクションスケジュール情報は複数存在し、
複数の前記アクションスケジュール情報のうちいずれかがユーザにより指定されたことに応答して、指定された前記アクションスケジュール情報を選択するためのアクションスケジュール情報選択手段と、
前記アクションスケジュール情報選択手段により選択されたアクションスケジュール情報に含まれる前記アクション指示情報をユーザに対して表示するための表示手段と、
前記表示手段によるアクション指示情報の表示に対応してユーザから指示があったことに応答して、前記アクション指示情報と対応関係にある前記ターゲット情報により特定される処理を実行するための手段とをさらに含む、請求項１に記載の情報処理装置。
【請求項２０】
前記アクションスケジュール情報選択手段は、
ユーザによる所定の入力に応答して前記複数のアクションスケジュール情報を一覧表示するためのアクションスケジュール情報一覧表示手段と、
前記アクションスケジュール情報一覧表示手段による表示に基づき前記複数のアクションスケジュール情報のうちいずれか一つをユーザが指定したことに応答して、指定された前記アクションスケジュール情報を選択するための手段とを含む、請求項１９に記載の情報処理装置。
【請求項２１】
前記ターゲット情報は、当該ターゲット情報を含むアクションスケジュール情報中のコンテンツ特定情報により特定されるコンテンツを、当該ターゲット情報を含むアクションスケジュール中のスケジュール情報により特定されるタイミングから表示することを指示するコンテンツ再生命令を含むことがあり、
前記実行するための手段は、前記表示手段によるアクション指示情報の表示に対応してユーザから指示があったこと、及び前記アクション指示情報に対応するターゲット情報が前記コンテンツ再生命令を含んでいることに応答して、当該アクション指示情報に対応するコンテンツ情報を取得し、当該アクション指示情報中の前記スケジュール情報により特定されるタイミングの時点から、前記コンテンツ情報に対応するコンテンツを出力するための手段を含む、請求項１９に記載の情報処理装置。
【請求項２２】
前記出力手段は、放送信号によりコンテンツ情報を提供する情報源、通信ネットワークを介してコンテンツ情報を送信する情報源、蓄積したコンテンツ情報を出力する情報源の内、少なくとも１の情報源から前記コンテンツ情報を取得して出力するための手段を含む、請求項１に記載の情報処理装置。
【請求項２３】
コンテンツ情報の情報源に接続可能な情報蓄積装置であって、
前記コンテンツ情報を前記情報源から取得して記録するための第１の記録手段と、
前記第１の記録手段により記録されるコンテンツ情報に対応するアクションスケジュール情報を検索するための第１のアクションスケジュール情報検索手段とを含み、前記アクションスケジュール情報は、当該情報処理装置のユーザに提示されるべき所定のアクション指示情報と、当該アクションスケジュール情報に対応するコンテンツ情報を特定するコンテンツ特定情報と、前記対応するコンテンツ情報の出力中において、前記アクション指示情報を提示するべきタイミングを示すスケジュールを特定するスケジュール情報と、前記アクション指示情報が提示されているときにユーザから所定の入力があったときに実行するべき処理を特定するターゲット情報とを含み、
前記情報蓄積装置はさらに、
前記第１のアクションスケジュール情報検索手段により検索されたアクションスケジュール情報を、前記第１の記録手段により記録されたコンテンツ情報に対応するように書換えて記録するための第２の記録手段と、
前記第１の記録手段に記録されたコンテンツ情報を出力するための第１の出力手段と、
前記第２の記録手段中より、前記第１の出力手段が出力するコンテンツ情報に対応したアクションスケジュール情報を検索するための第２のアクションスケジュール情報検索手段と、
前記第２のアクションスケジュール情報検索手段により検索されたアクションスケジュール情報に従い、前記第１の出力手段による前記コンテンツ情報の出力中の、当該アクションスケジュール情報により特定されるタイミングで、前記アクション指示情報を出力するための第２の出力手段と、
前記アクション指示情報の出力に対応してユーザから指示があったことに応答して、前記第２のアクションスケジュール情報検索手段により検索されたアクションスケジュール情報に含まれる前記ターゲット情報により特定される処理を実行するためのアクション実行手段とを含む、情報蓄積装置。
【請求項２４】
前記情報蓄積装置はさらに、
前記第１のアクションスケジュール情報検索手段により検索されたアクションスケジュール情報に含まれる前記ターゲット情報により特定される処理を、第１の記録手段により記録されたコンテンツの、前記第１の出力手段による出力に先立って実行するための事前実行手段と、
前記事前実行手段による処理の実行結果を記録するための第３の記録手段とを含み、
前記第２の記録手段は、前記第１のアクションスケジュール情報検索手段により検索されたアクションスケジュール情報を、前記第１の記録手段により記録されるコンテンツ情報に対応するもの書換え、さらに当該アクションスケジュール情報に含まれるターゲット情報を書換え、前記第３の記録手段に記録された実行結果を出力させるための信号の生成を指示するものにして記録するための手段を含み、
前記情報蓄積装置はさらに、前記アクション実行手段が前記出力させるための信号を生成したことに応答して、前記第３の記録手段に記録された前記結果を出力するための第３の出力手段を含む、請求項２３に記載の情報蓄積装置。
【請求項２５】
前記事前実行手段は、
前記第１のアクションスケジュール情報検索手段により検索されたアクションスケジュール情報に従い、前記第１の記録手段による前記コンテンツ情報の記録中の、当該アクションスケジュール情報に含まれるスケジュール情報により特定されるタイミングで、前記ターゲット情報により特定される処理を実行するための手段を含む、請求項２４に記載の情報蓄積装置。
【請求項２６】
前記ターゲット情報は、複数の前記情報源のいずれか一つを選択することを指定する信号を生成する処理を特定する情報を含み、
前記情報蓄積装置はさらに、前記事前実行手段により前記指定する信号が生成されたことに応答して、当該信号に従い、複数の前記情報源のいずれかを選択し、選択された前記情報源より前記コンテンツ情報を取得するための手段を含み、
前記第３の記録手段は、前記実行結果として、前記取得するための手段により取得されたコンテンツ情報を記録するための手段とを含む、請求項２４又は請求項２５に記載の情報蓄積装置。
【請求項２７】
前記情報蓄積装置はさらに、
前記コンテンツ情報の記録を予約するための予約手段と、
前記予約手段による予約に従い、前記第１の記録手段を制御し、記録を予約された前記コンテンツ情報を前記情報源から取得して記録するよう動作させるための手段とを含む、請求項２３から請求項２５のいずれかに記載の情報蓄積装置。
【請求項２８】
前記予約手段は、ユーザにより前記コンテンツ情報のいずれかの記録の予約が指定されたことに応答して、前記ユーザにより指定されたコンテンツ情報の記録を予約するための手段を含む、請求項２７に記載の情報蓄積装置。
【請求項２９】
前記ターゲット情報は、所定のコンテンツ情報の記録を予約する処理を特定する情報を含み、
前記予約手段は、前記第１のアクションスケジュール情報検索手段により検索されたアクションスケジュール情報に含まれる前記ターゲット情報が、前記予約する処理を特定する情報であることに応答して、前記所定のコンテンツ情報の記録を、前記第１の出力手段による出力に先立って予約するための事前予約手段を含む、請求項２７に記載の情報蓄積装置。
【請求項３０】
前記アクションスケジュール情報を提供する情報提供装置に接続し、前記情報提供装置から複数の前記アクションスケジュール情報を取得するための手段をさらに含み、
前記第１のアクションスケジュール情報検索手段は、前記取得するための手段により取得された複数のアクションスケジュール情報の中から、前記第１の記録手段により記録されるコンテンツ情報に対応するアクションスケジュール情報を検索するための手段を含む、請求項２３に記載の情報蓄積装置。
【請求項３１】
前記取得するための手段は、前記情報提供装置から複数の前記アクションスケジュール情報を取得し、前記複数のコンテンツ情報に対応して、前記アクション指示情報、前記アクション指示情報を提示するためのスケジュール、及び前記ターゲット情報を含むアクションスケジュールを作成するための手段を含み、
前記検索するための手段は、前記作成するための手段により作成された複数のアクションスケジュールの中から、前記第１の記録手段により記録されるコンテンツ情報に対応するアクションスケジュールを検索するためのアクションスケジュール検索手段を含み、
前記情報提示手段は、前記アクションスケジュール検索手段により検索されたアクションスケジュールに従い、前記コンテンツ情報の出力中の、当該アクションスケジュールにより特定されるタイミングで、前記アクション指示情報を提示するための手段を含み、
前記アクション実行手段は、前記情報提示手段によるアクション指示情報の提示に対応してユーザから指示があったことに応答して、前記検索されたアクションスケジュールに含まれる前記ターゲット情報により特定される処理を実行するための手段を含む、請求項３０に記載の情報蓄積装置。
【請求項３２】
前記第１のアクションスケジュール情報検索手段による検索の対象となる前記アクションスケジュール情報は複数存在し、
複数の前記アクションスケジュール情報のうちいずれかがユーザにより指定されたことに応答して、指定された前記アクションスケジュール情報を選択するためのアクションスケジュール情報選択手段と、
前記アクションスケジュール情報選択手段により選択されたアクションスケジュール情報に含まれる前記アクション指示情報をユーザに対して表示するための表示手段とをさらに含み、
前記アクション実行手段は、前記表示手段によるアクション指示情報の表示に対応してユーザから指示があったことに応答して、前記アクション指示情報と対応関係にある前記ターゲット情報により特定される処理を実行するための手段を含む、請求項２３に記載の情報蓄積装置。
【請求項３３】
前記アクションスケジュール情報選択手段は、
ユーザによる所定の入力に応答して前記複数のアクションスケジュール情報を一覧表示するためのアクションスケジュール情報一覧表示手段と、
前記アクションスケジュール情報一覧表示手段による表示に基づき前記複数のアクションスケジュール情報の内いずれか一つをユーザが指定したことに応答して、指定された前記アクションスケジュール情報を選択するための手段とを含む、請求項３２に記載の情報蓄積装置。
【請求項３４】
前記コンテンツ情報の取得及び記録を指示する信号を受信するための受信手段と、
前記受信手段により受信した前記指示する信号に従い、当該信号により指示されたコンテンツ情報を前記第１の記録手段が取得し記録するように前記第１の記録手段を制御するための制御手段をさらに含む、請求項２３に記載の情報蓄積装置。
【請求項３５】
前記出力手段は、放送信号によりコンテンツ情報を提供する情報源、通信ネットワークを介してコンテンツ情報を送信する情報源、蓄積したコンテンツ情報を出力する情報源の内、少なくとも１の情報源から前記コンテンツ情報を取得して記録するための手段を含む、請求項２３に記載の情報蓄積装置。
【請求項３６】
コンテンツ情報の情報源に接続可能な装置に対して、当該接続可能な装置がユーザに提示するべき所定のアクション指示情報と、前記コンテンツ情報を特定するコンテンツ特定情報と、前記コンテンツ特定情報により特定される前記コンテンツ情報の出力中において、前記接続可能な装置が前記アクション指示情報を提示するべきタイミングを示すスケジュールを特定するスケジュール情報と、前記アクション指示情報が提示されているときにユーザから前記接続可能な装置に対して所定の入力があったときに、当該接続可能な装置が実行するべき処理を特定するターゲット情報とを含むアクションスケジュール情報を準備するための準備手段と、
前記アクションスケジュール情報を、前記情報源が前記コンテンツ情報を提供する日時により分類して保持するための保持手段と、
前記保持手段に保持されている前記アクションスケジュール情報の分類に基づき、前記アクションスケジュール情報を選択するための選択手段と、前記選択手段により選択されたアクションスケジュール情報を、前記接続可能な装置に送信するための送信手段とを含む、情報提供装置。
【請求項３７】
前記保持手段は、前記アクションスケジュール情報を、毎日提供されるコンテンツ情報、毎週所定の曜日に提供されるコンテンツ情報、及び所定の日にちに提供されるコンテンツ情報のいずれかに分類して保持するための手段を含む、請求項３６に記載の情報提供装置。
【請求項３８】
前記準備手段は、前記アクションスケジュール情報が変更されたことに応答して、当該アクションスケジュール情報に対する更新の内容を示す更新情報を準備するための手段を含み、
前記送信手段は、前記更新情報を前記接続可能な装置に送信するための手段を含む、請求項３６に記載の情報提供装置。
【手続補正２】
【補正対象書類名】明細書
【補正対象項目名】発明の名称
【補正方法】変更
【補正の内容】
【発明の名称】情報処理装置、情報蓄積装置、及び情報提供装置